(57)【特許請求の範囲】
【請求項１】
伸縮性を有し、利用者の生体情報を検出するセンサを腕部または指部との間に挟み込む態様で巻き付けられ、この巻き付けられた張力によって前記センサを前記腕部または指部に押圧するセンサ装着用バンドにおいて、
当該バンドに張力が作用していない状態で巻き付け方向に撓みが生じ、張力が作用して前記センサが生体情報を検出可能な圧力で押圧される状態で撓みが解消する表示部と、
当該バンドの一端に設けられ当該バンドに張力を作用させるための起点となる基端部とを備え、
前記基端部近傍に前記表示部及び前記センサを保持するセンサ保持部を配置することを特徴とするセンサ装着用バンド。
【請求項２】
前記表示部材は、当該バンドに配置され、屈曲性を有する帯状部材で形成されていることを特徴とする請求項１に記載のセンサ装着用バンド。
【請求項３】
前記表示部材が伸縮し難い材料で形成され、かつ、前記表示部材の設置されているバンド近傍にマーキングを備えていることを特徴とする請求項２に記載のセンサ装着用バンド。
【請求項４】
前記表示部材が伸縮し易い材料で形成され、かつ、前記表示部材上にマーキングを備えていることを特徴とする請求項２に記載のセンサ装着用バンド。
【請求項５】
前記基端部から前記バンド部の長手方向の一方の先端に向けて前記バンド部を延ばす様態で外光遮断部を配置したことを特徴とする請求項１から請求項４のいずれかに記載のセンサ装着用バンド。
【請求項６】
前記表示部と前記センサ保持部とは前記バンドの異なる面にそれぞれ固定され、前記バンドの面に対して鉛直方向から投影したときに前記表示部と前記センサ保持部とは略同一場所に配置されていることを特徴とする請求項１から請求項５のいずれかに記載のセンサ装着用バンド。
【請求項７】
利用者の腕部または指部から生体情報を検出するセンサと、伸縮性を有し、前記腕部または指部との間に前記センサを挟み込む態様で巻き付けられ、この巻き付けられた張力によって前記センサを前記腕部または指部に押圧するバンドと、前記センサの検出情報に従って生体情報値を表示する本体部とを備えた生体情報機器において、
前記バンドに張力が作用していない状態で巻き付け方向に撓みが生じ、張力が作用して前記センサが生体情報を検出可能な圧力で押圧される状態で撓みが解消する表示部材と、
当該バンドの一端に設けられ当該バンドに張力を作用させるための起点となる基端部とを備え、
前記基端部近傍に前記表示部及び前記センサを保持するセンサ保持部を配置することを特徴とする生体情報機器。
【請求項８】
前記表示部材は、前記バンドに配置され、屈曲性を有する帯状部材で形成されていることを特徴とする請求項７に記載の生体情報機器。
【請求項９】
前記表示部材が伸縮し難い材料で形成され、かつ、前記表示部材の設置されているバンド近傍にマーキングを備えていることを特徴とする請求項８に記載の生体情報機器。
【請求項１０】
前記表示部材が伸縮し易い材料で形成され、かつ、前記表示部材上にマーキングを備えていることを特徴とする請求項８に記載の生体情報機器。
【請求項１１】
前記表示部材が伸縮し易い材料で形成され、かつ、前記表示部材上に縦横比が一致しているマーキングを備えていることを特徴とする請求項８に記載の生体情報機器。
【請求項１２】
前記基端部から前記バンド部の長手方向の一方の先端に向けて前記バンド部を延ばす様態で外光遮断部を配置したことを特徴とする請求項７から請求項１１のいずれか１つに記載の生体情報機器。
【請求項１３】
前記表示部と前記センサ保持部とは前記バンドの異なる面にそれぞれ固定され、前記バンドの面に対して鉛直方向から投影したときに前記表示部と前記センサ保持部とは略同一場所に配置されていることを特徴とする請求項７から請求項１２のいずれか１つに記載の生体情報機器。
【発明の詳細な説明】
【技術分野】
【０００１】
本発明は、利用者の腕部または指部に生体情報を検出するセンサを装着可能なセンサ装
着用バンド及び生体情報機器に関する。
【背景技術】
【０００２】
従来より、利用者の腕部（リスト部）または指部に装着して利用者の脈拍を含む生体情
報を測定する生体情報機器が知られている。この生体情報機器は、生体情報を光によって
検出するセンサと、このセンサを検出部位に固定するために、利用者の腕部または指部に
巻き付けられるセンサ装着用バンドと、センサからの検出情報を表示するための本体部と
を備えている。
上述したセンサは、より正確な精度で生体情報を検出するために、上述した検出部位に
適正な圧力（センサが精度よく検出可能な圧力）で押圧される必要がある。この圧力は、
例えば、センサ装着用バンドを伸縮可能な素材で形成し、このバンドを装着時に腕部また
は指部の周方向に締め付けることにより、この締め付ける張力を利用して得ることができ
る。また、センサに適正な圧力を加えるためには、センサ装着用バンドに所定の張力を加
えればよいことになる。
【０００３】
この所定の張力か否かを確認する方法としては、例えば、センサ装着用バンドの表面に
２本の平行な線を設けると共に、この２本線の間隔を確認するための基準用ボタンを着脱
自在に設け、バンドの装着時に２本線の間隔が基準用ボタンの幅と同等になるまでバンド
を締め付けるものがある（例えば、特許文献１参照）。
また、他の確認方法としては、センサ装着用バンドの伸縮量に応じて伸び縮みする丸い
図形を描き、バンドに所定の張力が加えられたときに丸い図形の縦横比が等しくなる（所
定の張力以外のときは、楕円形になる）ようにしたものがある（例えば、特許文献２参照
）。
他方、適正な圧力の他の確認方法としては、腕部または指部の周方向の長さを予め測定
し、この測定した寸法に従って予め用意された複数のバンド（サポーター）の中から適正
な長さのバンドを選択し、この選択されたバンドを装着することで適正な圧力を得るもの
もある。
【特許文献１】特開平５−３２９１１７号公報
【特許文献２】特開２００６−５５５１７号公報
【発明の開示】
【発明が解決しようとする課題】
【０００４】
しかしながら、上述の特許文献１の構造では、基準用のボタンを別途設ける必要がある
ため、部品点数が多くなりコストアップになる。
また、特許文献２の構造では、基準用のボタンを別途設ける必要はないが、縦横比の判
断が人間の感覚によるものであるため、バンドに加える張力にばらつきが生じやすい。ま
た、上述の通り人間の感覚によるため、装着する際に試行錯誤を繰り返すことで、利用者
に煩わしさを感じさせるおそれがある。
他方、複数のバンドを予め用意する方法では、１つのバンドで適正な圧力を得るものに
比べてコストアップになる。また、測定用のメジャーを別途用意する点においても、部品
点数が多くなり、コストが嵩むことになる。
【０００５】
そこで、本発明の目的は、上述した従来の技術が有する課題を解消し、部品点数を少な
くすることができ、所定の張力で装着する際に利用者に煩わしさを感じさせないセンサ装
着用バンド及び生体情報機器を提供することにある。
【課題を解決するための手段】
【０００６】
上記課題を解決するため、本発明は、伸縮性を有し、利用者の生体情報を検出するセン
サを腕部または指部との間に挟み込む態様で巻き付けられ、この巻き付けられた張力によ
って前記センサを前記腕部または指部に押圧するセンサ装着用バンドにおいて、当該バン
ドに張力が作用していない状態で巻き付け方向に撓みが生じ、張力が作用して前記センサ
が生体情報を検出可能な圧力で押圧される状態で撓みが解消する表示部材を備えたことを
特徴とする。
【０００７】
この場合において、前記表示部材は、当該バンドに縫いつけられ、屈曲性を有する帯状
部材で形成されていてもよい。
また、センサ装着用バンドであって、前記表示部材が伸縮し難い材料で形成され、かつ
、前記表示部材の設置されているバンド近傍にマーキングを備えていてもよい。
また、センサ装着用バンドであって、前記表示部材が伸縮し易い材料で形成され、かつ
、前記表示部材上にマーキングを備えていてもよい。
また、センサ装着用バンドであって、前記表示部材が伸縮し易い材料で形成され、かつ
、前記表示部材上に縦横比が一致しているマーキングを備えていてもよい。
さらに、センサ装着用バンドであって、前記センサを保持する保持部材を備え、前記保
持部材および前記表示部材の取付部を一緒に縫いつけて固定することもできる。
【０００８】
他方、本発明は、利用者の腕部または指部から生体情報を検出するセンサと、伸縮性を
有し、前記腕部または指部との間に前記センサを挟み込む態様で巻き付けられ、この巻き
付けられた張力によって前記センサを前記腕部または指部に押圧するバンドと、前記セン
サの検出情報に従って生体情報値を表示する本体部とを備えた生体情報機器において、前
記バンドに張力が作用していない状態で巻き付け方向に撓みが生じ、張力が作用して前記
センサが生体情報を検出可能な圧力で押圧される状態で撓みが解消する表示部材を備えた
ことを特徴とする。
【０００９】
この場合において、前記表示部材は、前記バンドに縫いつけられ、屈曲性を有する帯状
部材で形成されていてもよい。
また、生体情報機器であって、前記表示部材が伸縮し難い材料で形成され、かつ、前記
表示部材の設置されているバンド近傍にマーキングを備えていてもよい。
また、生体情報機器であって、前記表示部材が伸縮し易い材料で形成され、かつ、前記
表示部材上にマーキングを備えていてもよい。
また、生体情報機器であって、前記表示部材が伸縮し易い材料で形成され、かつ、前記
表示部材上に縦横比が一致しているマーキングを備えていてもよい。
さらに、生体情報機器であって、前記センサを保持する保持部材を備え、前記保持部材
および前記表示部材の取付部を一緒に縫いつけて固定することもできる。
さらにまた、生体情報機器であって、前記バンドは、前記本体部を腕部に装着するため
の本体部装着用バンドを兼ねていてもよい。
【発明の効果】
【００１０】
本発明では、当該バンドに張力が作用していない状態で巻き付け方向に撓みが生じ、張
力が作用して前記センサが生体情報を検出可能な圧力で押圧される状態で撓みが解消する
表示部材を備えているので、このセンサ装着用バンドの適正な張力を管理するために、セ
ンサ装着用バンドの伸びを確認するための基準用の部品を別途設ける必要がない。そのた
め、部品点数をより少なくしてコストダウンを図ることができる。また、表示部材の撓み
によって張力を明確に確認できるため、バンドを固定するときに人間の感覚に依るところ
が少なく、利用者に煩わしさを感じさせない。また、人間の感覚に依らないため、センサ
の押圧力をより精度良く設定することができる。
【発明を実施するための最良の形態】
【００１１】
以下、本発明の実施の形態に係るセンサ装着用バンド４０および生体情報機器１につい
て説明する。なお、本実施の形態で示す生体情報機器１とは、生体情報として脈拍を用い
、生体情報値として脈拍数を検出するものである。この生体情報機器１は、例えば、利用
者が運動（ランニングなど）をしているときであっても、生体情報（本実施例では脈拍数
とする）を確認することができるものである。
【００１２】
図１は、本実施の形態に係る生体情報機器１を利用者の腕部Ｔ（リスト部）に装着した
状態を示す概要図である。
生体情報機器１は、腕時計構造を有する本体部１０と、この本体部１０に接続されるケ
ーブル２０と、このケーブル２０の先端に設けられた脈拍センサ３０と、この脈拍センサ
３０を利用者の腕部Ｔに挟み込む態様でその腕部Ｔに装着するためのセンサ装着用バンド
４０とを備えている。このセンサ装着用バンド４０は、図１に示すように、本体部１０の
付近であって、腕部Ｔの延在方向に並べて装着されている。
【００１３】
本体部１０には、腕時計における１２時方向から腕に巻きついてその６時方向で固定さ
れるリストバンド１２が設けられている。このリストバンド１２によって、本体部１０は
、腕に着脱自在に装着されている。また、本体部１０の６時の側には、コネクタ部７０が
設けられており、このコネクタ部７０にケーブル２０の一端側に設けられたコネクタピー
ス８０が着脱自在に取り付けられるようになっている。
【００１４】
図２は、本体部１０を単体で示す平面図であって、リストバンド１２やケーブル２０な
どを取り外した状態を示している。
本体部１０は、樹脂製の時計ケース１１（本体ケース）を備えている。時計ケース１１
の表面側には、現在時刻や日付に加えて、走行時や歩行時のピッチ、及び脈拍数などの脈
波情報などを表示するＥＬバックライト付きの液晶表示装置１３（表示装置）が設けられ
ている。液晶表示装置１３には、表示面の左上側に位置する第１のセグメント表示領域１
３１、右上側に位置する第２のセグメント表示領域１３２、右下側に位置する第３のセグ
メント表示領域１３３、及び左下側に位置するドット表示領域１３４が構成されており、
ドット表示領域１３４では、各種の情報をグラフィック表示可能である。
時計ケース１１の内部には、ピッチを求めるための体動センサ（図示せず）が内蔵され
ている。この体動センサとしては、加速度センサなどを用いることができる。
【００１５】
また、時計ケース１１の内部には、各種の制御やデータ処理を行う制御部５が設けられ
ている。この制御部５は、上述した体動センサによる検出結果（体動信号）および脈拍セ
ンサ３０による検出結果（脈波信号）に基づいて、測定対象者である利用者の脈拍数を解
析し、液晶表示装置１３で表示する。この場合において、制御部５には、計時回路も構成
されているため、通常時刻なども液晶表示装置１３に表示可能となっている。
【００１６】
時計ケース１１の外周部には、入力装置を構成し、時刻合わせや表示モードの切り換え
などの外部操作を行うためのボタンスイッチ１１１〜１１５が設けられている。また、時
計ケースの表面には、同じく、入力装置を構成する、大きめのボタンスイッチ１１６、１
１７が構成されている。
また、生体情報機器１の電源は、時計ケース１１に内蔵されているボタン形の小型の電
池５９であり、ケーブル２０は、電池５９から脈拍センサ３０に電力を供給するとともに
、脈拍センサ３０の検出結果を時計ケース１１の制御部５に入力している。
【００１７】
図３は、脈拍センサ３０の断面図である。
脈拍センサ３０は、そのケース体の内部に回路基板３５が配置されており、この回路基
板３５には、ＬＥＤ３１、フォトトランジスタ３２、その他の電子部品が実装されている
。この脈拍センサ３０では、センサ枠３６の上面部分（実質的な脈波信号検出部）にガラ
ス板からなる透光板３４によって光透過窓が形成されている。そして、この透光板３４に
対して、ＬＥＤ３１及びフォトトランジスタ３２は、それぞれ発光面及び受光面を透光板
３４の方に向けている。このため、透光板３４の外側表面４４１（指表面との接触面／セ
ンサ面）に指表面を密着させると、ＬＥＤ３１は、指表面の側に向けて光を発する。これ
とともに、フォトトランジスタ３２は、ＬＥＤ３１が発した光のうち利用者の腕部から反
射してくる光を受光可能である。
【００１８】
本実施形態では、ＬＥＤ３１として、ＩｎＧａＮ系（インジウム−ガリウム−窒素系）
の青色ＬＥＤを用いてあり、その発光スペクトルは、４５０ｎｍに発光ピークを有してい
る。さらにＬＥＤ３１の発光波長領域は、３５０ｎｍから６００ｎｍまでの範囲にある。
かかる発光特性を有するＬＥＤ３１に対応させて、本例では、フォトトランジスタ３２と
して、ＧａＡｓＰ系（ガリウム−砒素−リン系）のフォトトランジスタを用いている。フ
ォトトランジスタ３２自身の受光波長領域は、主要感度領域が３００ｎｍから６００ｎｍ
までの範囲にあって、３００ｎｍ以下にも感度領域がある。
【００１９】
このように構成した脈拍センサ３０を、センサ装着用バンド４０によって腕部Ｔに装着
し、この状態で、ＬＥＤ３１から指に向けて光を照射すると、この光が血管に届いて血液
中のヘモグロビンによって光の一部が吸収され、一部が反射する。指（血管）から反射し
てきた光は、フォトトランジスタ３２によって受光され、その受光量変化が血量変化（血
液の脈波）に対応する。すなわち、血量が多いときには、反射光が弱くなる一方、血量が
少なくなると、反射光が強くなるので、反射光強度の変化を検出すれば、脈拍数を含む各
種生体情報などを計測できる。
【００２０】
図４（ａ）は、センサ装着用バンド４０を単体で示す正面図、図４（ｂ）は、（ａ）の
側面図である。また、図５は、センサ装着用バンド４０を腕部に巻き付けた状態の斜視図
である。
センサ装着用バンド４０は、腕部Ｔの周方向に長手方向を向けて巻き付けられるバンド
部４１と、このバンド部４１を締め付ける際にバンド部４１が引っ掛けられるバックル部
４２と、このバックル部４２をバンド部４１に取り付けるための保持部４３とを備えてい
る。なお、図４（ａ）において、バンド部４１の裏面４１Ｘが利用者の腕部Ｔと接する面
であり、表面４１Ｙが外側に向くように取り付けられる。
【００２１】
バックル部４２は、図４（ａ）に示すように、棒状の部材を折り曲げて略矩形状の輪を
形成したものである。この輪の幅方向の長さは、バンド部４１の幅方向の長さよりも大き
くなっており、この輪の中にバンド部４１を挿通できるようになっている。
保持部４３は、帯状部材で輪を形成したものであり、この保持部４３の基端部４３ａが
バンド部４１に固定されている。また、この保持部４３は、前述した輪の中にバックル部
４２の１辺を巻くようにして保持している。これにより、バックル部４２が保持部４３を
介してバンド部４１に取り付けられている。
【００２２】
バンド部４１は、伸縮性を有している。すなわち、このバンド部４１が腕部Ｔに巻き付
けられて締め付けられる際に、バンド部４１はその長手方向に伸びるようになる。また、
このバンド部４１の長手方向の寸法Ｌは、あらゆる利用者の腕部Ｔの太さまたは周方向の
長さを十分に考慮して、十分に長く形成してある。一方、バンド部４１の幅方向（長手方
向と直交する方向）の長さＬ２は、脈拍センサ３０の長さＬ１（図３参照）よりも十分に
長くなるように形成されている。すなわち、脈拍センサ３０が装着されるときに、このセ
ンサ装着用バンド４０によって脈拍センサ３０の全体が覆われるようになっている。これ
により、脈拍センサ３０は、センサ装着用バンド４０の外部から遮光された状態で利用者
の腕部Ｔに装着されるようになる。
また、このバンド部４１には、上述した保持部４３がバンド部４１に固定されている基
端部４３ａからバンド部４１をその長手方向の一方の先端に向けて延ばす態様で外光遮断
部４１ａが形成されている。
【００２３】
このバンド部４１の表面４１Ｙ側には、外光遮断部４１ａと反対側の先端部４１ｂにマ
ジックテープ（登録商標）の爪部４４が設けられている。一方、この爪部４４の終端から
基端部４３ａまでの間には、この爪部４４が取り付けられるマジックテープ（登録商標）
の生地部４５が設けられている。この爪部４４と生地部４５は、既知の通り、人間の力で
自由に固定したり剥がしたりすることができるものである。
【００２４】
バンド部４１の裏面４１Ｘ側には、脈拍センサ３０を保持するための保持部材２１０が
取り付けられている。この保持部材２１０は、脈拍センサ３０に接続されるケーブル２０
を保持する機能を有しており、このケーブル２０及び脈拍センサ３０がバンド部４１の長
手方向（図４（ｂ）における紙面左右方向）に移動しない構造となっている。より詳細に
は、保持部材２１０は、帯状に形成され、バンド部４１と同じ伸縮性を有する材料が使用
され、その両端に位置する取付部２１０ａがバンド部４１に糸で縫いつけられている。こ
の保持部材２１０は、図４（ｂ）に示すように、中央部を弛ませて形成された保持孔２１
１が形成されている。この保持孔２１１の形状は、ケーブル２０の外形よりも小さく形成
されており、その伸縮性でケーブル２０を保持することができるようになっている。そし
て、脈拍センサ３０が精度よく検出可能な圧力で押圧される状態までバンド部４１に張力
をかけたときに、この保持孔２１１も一緒に伸びて、ケーブル２０の外形とほぼ等しい大
きさになるように形成されている。
なお、保持部材２１０は、ケーブル２０の替わりに脈拍センサ３０を保持するようにし
てもよい。
【００２５】
このバンド部４１を腕部Ｔに巻き付ける手順としては、図５に示すように、バンド部４
１を腕部Ｔに巻き付けるときにバンド部４１の先端部４１ｂをバックル部４２の輪の中に
挿通させ、この先端部４１ｂを巻き付け方向と反対側の方向に折り返して引っ張り、上述
した爪部４４を生地部４５に取り付ける。このようにバンド部４１を巻き付け方向と反対
側に引っ張ることにより、バンド部４１に張力を発生させることができる。一方、脈拍セ
ンサ３０には、このバンド部４１に発生した張力によって、腕部Ｔに押圧する押圧力Ｆが
作用することになる。
【００２６】
一方、この脈拍センサ３０は、精度良く脈拍数を検出可能な圧力で腕部Ｔに押圧される
必要がある。この押圧力Ｆが弱すぎても強すぎても、脈拍センサ３０の検出する脈拍数に
誤差が生じてしまうことになる。そのためこのバンド部４１には、脈拍センサ３０に適正
な押圧力Ｆを付与するために、図４（ａ）に示すように、表示部材２００が設けられてい
る。
【００２７】
図６は、バンド部４１の表面４１Ｙに取り付けられた表示部材２００を示す概要図であ
って、（ａ）はバンド部４１に張力をかけていない状態を示し、（ｂ）は脈拍センサ３０
が精度よく検出可能な圧力で押圧される状態までバンド部４１に張力をかけたときを示し
ている。
【００２８】
表示部材２００は、屈曲性を有する部材（例えば、布など、衣服に一般的に使用される
もの）を用いて帯状に形成されており、その両端に位置する取付部２００ａがバンド部４
１に縫いつけられている。この取付部２００ａは、バンド部４１の裏面Ｘ側に配置された
保持部材２１０の取付部２１０ａ（図４（ｂ）参照）と共に一緒に糸で縫いつけて固定さ
れている。また、表示部材２００は、バンド部４１に張力が作用していない（かけられて
いない）状態で、表示部材２００の有する屈曲性によってその中央部にほぼ円弧状の撓み
Ｘが生じるようになっている（図６（ａ）参照）。一方、バンド部４１に張力が作用し、
脈拍センサ３０が精度よく検出可能な圧力で押圧される状態までバンド部４１に張力をか
けたときに、表示部材２００が張られて撓みＸが解消する（図６（ｂ）参照）ようになっ
ている。
【００２９】
この撓みＸの大きさは、脈拍センサ３０の外側形状、脈拍センサ３０の最適な押圧力、
バンド部４１の伸縮性、バンド部４１の長手方向の長さ、バックル部４２の位置に基づい
て適宜決定されることになる。すなわち、これらの要素を予め１通りに決定しておくこと
により、脈拍センサ３０に適正な押圧力Ｆを作用させることができる撓みＸの大きさを決
定することができる。
【００３０】
また、脈拍センサ３０（及び、表示部材２００と、この脈拍センサ３０を保持する保持
部材２１０）は、図５に示すように、保持部４３の基端部４３ａの近傍に配置される。こ
れは、脈拍センサ３０に押圧力Ｆを作用させるときに、バンド部４１の張力を調整する基
準点となるバックル部４２（より詳細には、基端部４３ａ）の付近に配置していた方が、
より正確な押圧力Ｆを管理することができるからである。すなわち、バックル部４２から
離れた位置（例えば、腕部Ｔを挟んで反対側の位置）に脈拍センサ３０を配置した場合、
バンド部４１の伸縮の偏り（例えば、センサ装着用バンド４０を装着後に脈拍センサ３０
を腕部Ｔとバンド部４１との間に挟み込んだ場合に、その挟み込んだ部分にのみ生じる伸
縮による偏り）によって押圧力Ｆにばらつきが生じるおそれがあり、正確な押圧力Ｆを管
理することができなくなる。
【００３１】
本発明の実施の形態に係るセンサ装着用バンド４０および生体情報機器１によれば、セ
ンサ装着用バンド４０に張力が作用していない状態で巻き付け方向に撓みＸが生じ、張力
が作用して脈拍センサ３０が生体情報を検出可能な圧力で押圧される状態で撓みＸが解消
する表示部材２００を備えているので、脈拍センサ３０が精度よく検出可能な圧力で押圧
されているか否かを表示部材２００の撓みＸの有無で確認することができる。そのため、
このセンサ装着用バンド４０の適正な張力を管理するために、センサ装着用バンド４０の
伸びを確認するための基準用の部品を別途設ける必要がない。その結果、部品点数をより
少なくしてコストダウンを図ることができる。また、撓みＸの有無を確認するだけで張力
を管理できるので、センサ装着用バンド４０を装着するときに人間の感覚に依るところが
少なくなり、利用者に煩わしさを感じさせない。
【００３２】
また、表示部材２００は、バンド部４１に縫いつけられ、屈曲性を有する帯状部材で形
成されているので、簡単な構造で形成することができる。特に、利用者の腕部Ｔに沿って
装着されるバンド部４１の伸縮性、屈曲性を損なうことなく、表示部材２００を設けるこ
とができる点で優れている。
【００３３】
さらに、脈拍センサ３０を保持する保持部材２１０を備え、保持部材２１０および表示
部材２００の取付部２００ａ、２１０ａを一緒に縫いつけて固定しているので、これらの
保持部材２１０及び表示部材２００を同時に取り付けることができ、別個に取り付ける場
合と比較して、製造工程を少なくすることができる。また、張力の管理が最も必要な脈拍
センサ３０の部分で、表示部材２００によってその張力を確認することができるので、よ
り正確に脈拍センサ３０の押圧力を管理することができる。
【００３４】
以上、本発明の実施の形態について述べたが、本発明は既述の実施形態に限定されるも
のではなく、本発明の技術思想に基づいて各種の変形および変更が可能である。
本実施の形態では、センサ装着用バンド４０を利用者の腕部Ｔに巻き付けるようにした
が、図７および図８に示すように、利用者の指部Ｓに巻き付けるようにしてもよい。この
場合、指部Ｓとは、５本の指のうち測定に適した任意の指を示す。また、脈拍センサ３０
は、腕部Ｔに装着される場合と同様に、センサ装着用バンド４０によって指部Ｓとの間に
挟まれる態様で、かつ外部から遮光されるように脈拍センサ３０の全体を覆う態様で巻き
付けられ、センサ装着用バンド４０に生じる張力によって脈拍センサ３０が指部Ｓに押圧
されるようになる。このように、脈拍センサ３０を指の根元に装着することにより、ケー
ブル２０を短くすることができ、ケーブル２０がランニング中に邪魔にならないようにす
ることができる。
【００３５】
また、本実施の形態では、図１に示すように、センサ装着用バンド４０と本体部１０と
を腕部の延在方向に並べて装着しているが、センサ装着用バンド４０に本体部１０を取り
付けて、これらを一体に構成してもよい。これによれば、本体部１０を装着するためのリ
ストバンド１２を設ける必要がなくなり、生体情報機器１の製造コストを低減させること
ができる。また、ケーブル２０をバンド部４１の内部に埋め込むことにより、ケーブル２
０の引き回しを不要とし、コストを低減させることもできる。また、利用者にケーブル２
０が嵩張ることによる違和感を与えることがない。
【００３６】
また、表示部材２００は、バンド部４１と同様に、伸縮性を有する材料で形成してもよ
く、バンド部４１の素材と比較して伸縮し難い材料で形成してもよい。この場合であって
も、脈拍センサ３０が生体情報を検出可能な圧力で押圧される状態で表示部材２００の撓
みＸが解消されるようにセンサ装着用バンド４０を製作することにより、バンド部４１の
適正な張力を管理することができる。
【００３７】
この場合において、表示部材２００を伸縮し難い材料で形成し、図９（ａ）に示すよう
に、表示部材２００の設置されているバンド部４１の近傍であって、表示部材２００の伸
縮方向における両側にマーキング３００を設けることもできる。このマーキング３００は
、例えば、バンド部４１に張力がかけられていない状態で、表示部材２００の伸縮する方
向と略直交する方向に延びる直線として設けることができる。この直線をなすマーキング
３００は、糸を縫いつけることによって設けてもよく、バンド部４１の表面４１Ｙに印刷
して設けるものであってもかまわない。また、バンド部４１の表面４１Ｙの色彩と異なる
色であって、視覚で判別し易い色を着色しておくことが好ましい。このようなバンド部４
１に張力をかけると、表示部材２００の撓みＸが解消するまでは、マーキング３００は伸
縮方向に均等に引っ張られるため直線として視認される。しかし、バンド部４１に表示部
材２００の撓みＸが解消する以上の張力をかけた場合、表示部材２００は伸縮し難いため
、図９（ｂ）に示すように、表示部材２００の近傍だけバンド部４１の伸縮長さ（伸縮率
）が変わり、直線状のマーキング３００が湾曲した曲線になる。そのため、利用者は、バ
ンド部４１に適正な張力以上の張力がかかっているか否かを、マーキング３００の形状を
視認することによって確認することができる。そのため、利用者がより明確に適正張力で
あるか否かの管理をすることができる。
【００３８】
また、表示部材２００を伸縮し易い材料で形成し、表示部材２００の表面にマーキング
３１０を設けることもできる。このマーキング３１０は、例えば、図１０（ａ）に示すよ
うに、表示部材２００が伸縮していない状態で、縦横比が均等な真円として設けることが
できる。また、縦横比が均等な図形であれば、正方形や星形であってもかまわない。この
ようなマーキング３１０を設けた場合、バンド部４１に適正な張力がかけられて表示部材
２００の撓みＸが解消されている状態で、表示部材２００は伸縮していない状態であるた
め、表示部材２００の表面に縦横比が均等な真円が視認される。しかし、バンド部４１に
表示部材２００の撓みＸが解消する以上の張力をかけた場合、表示部材２００は伸縮し易
いため、図１０（ｂ）に示すように、表示部材２００がバンド部４１の伸縮方向に延び、
真円状のマーキング３１０が楕円になる。そのため、利用者は、バンド部４１に適正な張
力以上の張力がかかっているか否かを、マーキング３１０の形状（縦横比）を視認するこ
とによって確認することができる。そのため、利用者がより明確に適正張力であるか否か
の管理をすることができる。
【００３９】
また、表示部材２００を伸縮性し難い材料で形成し、表示部材２００の取付部２００ａ
をバンド部４１の長手方向のできるだけ両端に配置し、腕部Ｔに巻き付けたときに腕部Ｔ
の周方向の長さのほぼ全体を表示部材２００で覆うように形成することもできる。これに
よれば、例えば、バンド部４１に必要以上の張力を作用させようとしても、表示部材２０
０が突っ張って、バンド部４１に適正な張力以上の力が作用しないようにすることができ
る。そのため、バンド部４１を保護することがでできると共に、利用者は、必要以上にバ
ンド部４１を引っ張っても適正な張力を得られるため、センサ装着用バンド４０を容易に
、かつ煩わしさを感じることなく装着することができるようになる。
【００４０】
さらに、表示部材２００は、このセンサ装着用バンド４０の商品名や製造者名、登録商
標を表示するタグを兼ねるようにしてもよい。これによれば、表示部材と別にタグを設け
る必要がなくなり、さらに部品点数を減らして、製造コストを低減させることができる。
【００４１】
さらにまた、バックル部４２を用いて、バンド部４１の先端部４１ｂを巻き付け方向と
逆方向に転換させているが、バックル部４２を設けずに構成することもできる。特に、上
述した指部Ｓに装着する場合には、バックル部４２が指の間で嵩張るようになるため、バ
ックル部４２を設けずに構成することが望ましい。その構成としては、例えば、バンド部
４１を巻き付け方向に引っ張り（バックル部４２によって巻き付け方向と逆方向に変換す
ることなく引っ張り）、表示部材２００を用いてバンド部４１に適正な張力をかけたこと
を確認した後にバンド部４１を固定するように構成する。この構造によっても、バンド部
４１に適正な張力を作用させ、脈拍センサ３０を精度よく検出可能な圧力で押圧すること
ができる。
【００４２】
他方、本実施の形態では、生体情報として脈拍数を表示するように説明したが、脈拍数
に限らない。例えば、生体情報として、体温、血圧、脈波、動脈血中の酸素飽和度、体動
等が具体例として挙げられる。
【図面の簡単な説明】
【００４３】
【図１】生体情報機器を利用者の腕部Ｔに装着した状態を示す概要図である。
【図２】本体部を単体で示す平面図である。
【図３】脈拍センサの断面図である。
【図４】センサ装着用バンドを単体で示す正面図、及びその側面図である。
【図５】センサ装着用バンドを腕部に巻き付けた状態を示す斜視図である。
【図６】脈拍センサと表示部材との関係を示す概要図である。
【図７】センサ装着用バンドを指部に装着した状態を示す斜視図である。
【図８】図７の側面図である。
【図９】表示部材の近傍に設けたマーキングを示す概要図である。
【図１０】表示部材の表面に設けたマーキングを示す概要図である。
【符号の説明】
【００４４】
１…生体情報機器、１０…本体部、１１…時計ケース、１２…リストバンド（本体部装
着バンド）、２０…ケーブル、３０…脈拍センサ、４０…センサ装着用バンド、４１…バ
ンド部、４１Ｘ…裏面、４１Ｙ…表面、４１ａ…外光遮断部、４１ｂ…先端部、４２…バ
ックル部、４３…保持部、４３ａ…基端部、４４…爪部、４５…生地部、２００…表示部
材、２００ａ…取付部、２１０…保持部材、２１０ａ…取付部、２１１…保持孔、３００
，３１０…マーキング、Ｓ…指部、Ｔ…腕部、Ｘ…撓み。
【図１】
0005061848.tif 000002
【図２】
0005061848.tif 000003
【図３】
0005061848.tif 000004
【図４】
0005061848.tif 000005
【図５】
0005061848.tif 000006
【図６】
0005061848.tif 000007
【図７】
0005061848.tif 000008
【図８】
0005061848.tif 000009
【図９】
0005061848.tif 000010
【図１０】
0005061848.tif 000011